(57)【要約】【課題】ユーザーが携帯端末２の操作により複合機１でコピー処理を行うときに、他のユーザーからの割込み処理を抑制すること。【解決手段】携帯端末２の操作に基づいて複数種類の処理を行うことが可能な複合機１であって、スキャナー部３６及び印刷部３７等を備え、携帯端末２の操作に基づいて行う処理がコピー処理であることを第１の条件とし、携帯端末２との離間距離Ｌｘが所定の距離Ｌａ以内であることを第２の条件とし、携帯端末２の端末操作表示部２１にコピー処理に対する設定画面が表示されていることを第３の条件とし、これらを全て満たすと判定するときに、当該コピー処理を他の割込み処理よりも優先する優先処理として設定する。【選択図】図１
2020182135.tif 000002
【特許請求の範囲】
【請求項１】
携帯端末の操作に基づいて複数種類の処理を行うことが可能な複合機であって、
無線ネットワークの無線通信により前記携帯端末と接続する無線送受信部と、
前記複数種類の前記処理を行う複数の機能部分と、
前記携帯端末の操作に基づいて行う前記処理が前記複数種類の前記処理のうちの特定処理であることを第１の条件とし、前記無線送受信部に接続される前記携帯端末との離間距離が所定の距離以内であることを第２の条件とし、前記携帯端末の端末操作表示部に前記特定処理に対する設定画面が表示されていることを第３の条件とし、前記第１の条件乃至前記第３の条件の全てを満たすと判定するときに、前記特定処理を他の割込み処理よりも優先する優先処理として設定する制御部とを備えることを特徴とする複合機。
【請求項２】
更に、原稿をセットするための原稿セット部と、
前記原稿セット部に前記原稿がセットされたことを検出する原稿セット検出部とを備え、
前記機能部分は、前記原稿セット部にセットされた前記原稿の画像を読取るスキャナー部と、印刷データに基づいて用紙に印刷を行う印刷部とを含み、
更に、前記第１の条件の前記特定処理はコピー処理であり、
前記第１の条件を満たすかどうかの前記判定は、前記原稿セット検出部による前記原稿セット部に前記原稿がセットされているかどうかの検出に基づくものであり、
前記特定処理に対する前記設定画面は、コピー設定画面であることを特徴とする請求項１に記載の複合機。
【請求項３】
更に、印刷データを格納したＵＳＢメモリを挿入可能とするＵＳＢポートとを備え、
前記機能部分は、前記印刷データに基づいて用紙に印刷を行う印刷部を含み、
更に、前記第１の条件の前記特定処理は前記ＵＳＢメモリによる印刷処理であり、
前記第１の条件を満たすかどうかの前記判定は、前記ＵＳＢポートに前記ＵＳＢメモリが挿入されているかどうかの検出に基づくものであり、
前記特定処理の前記設定画面は、印刷設定画面であることを特徴とする請求項１に記載の複合機。
【請求項４】
更に、前記制御部は、
前記離間距離と、前記携帯端末の前記端末操作表示部に前記特定処理に対する前記設定画面が表示されているかどうかを示す表示画面判定結果と、を前記携帯端末から送信することを要求し、前記判定を行うことを特徴とする請求項１に記載の複合機。
【請求項５】
前記優先処理は、前記複合機における前記特定処理に係る機能部分を占有しない前記割込み処理については、適用しないことを特徴とする請求項１に記載の複合機。
【請求項６】
前記制御部は、前記第１の条件乃至前記第３の条件のいずれか一が満たされなくなったときに、前記優先処理の設定を解除することを特徴とする請求項１に記載の複合機。
【請求項７】
所定の時間を計測する時間計測部を備え、
前記制御部は、前記時間計測部の計測により、前記離間距離を送信することを要求する離間距離測定命令を送信した後、通信不能判定時間内に前記離間距離又は前記表示画面判定結果の受信がなかったとき、前記優先処理の設定を解除することを特徴とする請求項４に記載の複合機。
【請求項８】
所定の時間を計測する時間計測部を備え、
前記制御部は、前記時間計測部の計測により、前記優先処理を設定してから強制解除時間を経過したときに、前記優先処理の設定を解除することを特徴とする請求項１に記載の複合機。
【請求項９】
複数種類の処理を行うことが可能な複合機に対し前記処理を指示する携帯端末であって、
前記複合機の前記複数種類の前記処理を選択可能に表示する端末操作表示部と、
前記端末操作表示部に表示している画面が前記複数種類の前記処理のうちの特定処理に対する設定画面であるか否かを判定し、判定結果を表示画面判定結果とする表示画面判定部と、
前記複合機との離間距離を測定する離間距離測定部と、
前記複合機からの要求に応じて、前記離間距離及び前記表示画面判定結果を送信する端末制御部とを備え、
更に、前記携帯端末からの指示が前記特定処理であることを第１の条件とし、前記複合機及び前記携帯端末との前記離間距離が所定の距離以内であることを第２の条件とし、前記携帯端末の前記端末操作表示部に前記特定処理に対する設定画面が表示されていることを第３の条件とし、前記第１の条件乃至前記第３の条件の全てを満たすと判定するときに、前記特定処理を他の割込み処理よりも優先する優先処理として設定する制御部を備える前記複合機に対し前記特定処理の実行を指示する端末制御部を備えることを特徴とする携帯端末。
【請求項１０】
前記第１の条件の前記特定処理はコピー処理であり、
前記特定処理に対する前記設定画面は、コピー設定画面であることを特徴とする請求項９に記載の携帯端末。
【請求項１１】
無線通信により無線ネットワークを介して前記複合機と接続し、
前記離間距離測定部は、前記複合機との前記離間距離を前記無線ネットワークの無線通信の電波強度又は到来時間に基づいて測定することを特徴とする請求項９に記載の携帯端末。
【請求項１２】
複数種類の処理を行うことが可能な複合機と、
前記複合機に対して前記処理を指示する操作が可能な携帯端末と、
無線通信により前記携帯端末及び前記複合機を接続する無線ネットワークとを備え、
更に、前記複合機は、
前記携帯端末の操作に基づいて行う前記処理が前記複数種類の前記処理のうちの特定処理であることを第１の条件とし、前記携帯端末及び前記複合機との離間距離が所定の距離以内であることを第２の条件とし、前記携帯端末の端末操作表示部に前記特定処理に対する設定画面が表示されていることを第３の条件とし、前記第１の条件乃至前記第３の条件の全てを満たすと判定するときに、前記特定処理を他の割込み処理よりも優先する優先処理として設定する制御部とを備えることを特徴とする印刷システム。
【請求項１３】
前記複合機は、
更に、原稿セット部にセットされた原稿の画像を読取るスキャナー部と、
印刷データに基づいて用紙に印刷を行う印刷部と、
前記原稿セット部に前記原稿がセットされたか否かを検出する原稿セット検出部とを備え、
前記第１の条件の前記特定処理はコピー処理であり、
前記第１の条件を満たすかどうかの前記判定は、前記原稿セット検出部による前記原稿セット部に前記原稿がセットされているかどうかの検出に基づくものであり、
前記特定処理の前記設定画面は、コピー設定画面であることを特徴とする請求項１２に記載の印刷システム。
【請求項１４】
携帯端末の操作に基づいて複数種類の処理のうちの所定の前記処理を行う複合機の印刷方法であって、
前記携帯端末の操作に基づいて行う前記処理がコピー処理であるかどうかを検出する原稿セット検出工程と、
前記複合機及び前記携帯端末との離間距離が所定の距離以内であるかどうかを判定する離間距離判定工程と、
前記携帯端末の端末操作表示部に前記コピー処理に対する設定画面が表示されていることを判定するコピー設定画面判定工程と、
前記原稿セット検出工程、前記離間距離判定工程及び前記コピー設定画面判定工程が完了するとき、前記コピー処理を他の割込み処理よりも優先する優先処理として実行する優先処理実行工程とを含むことを特徴とする複合機の印刷方法。
【発明の詳細な説明】
【技術分野】
【０００１】
本発明は、携帯端末の操作に基づいて複合機により印刷等の複数種類の処理を行う印刷システムに関するものである。
【背景技術】
【０００２】
近年、事務用機器として、コピー機能、印刷機能、スキャン機能及びファックス機能等の複数の機能を備えた複合機が製品化され、多く利用されている。この複合機においては、ＬＡＮ（Local Area Network）等により複数のＰＣ(Personal Computer)等が接続され、同時に複数のユーザーが複合機を利用できるようになっている。また、操作の利便性から、無線ネットワークの無線通信により携帯端末及び複合機を接続し、遠隔から携帯端末による操作を可能としている。例えば、コピーを行うときは、ユーザーは携帯端末によりトレイ選択、コピー部数などを設定し、複合機まで移動してコピーするための原稿をセットし、携帯端末からコピーを実行する（例えば、特開２０１３−２５１５９１号公報（特許文献１）参照）。
【先行技術文献】
【特許文献】
【０００３】
【特許文献１】特開２０１３−２５１５９１号公報
【発明の概要】
【発明が解決しようとする課題】
【０００４】
しかしながら、上記従来の複合機、携帯端末及び印刷システムでは、ユーザーが複合機まで移動して原稿をセットした後、携帯端末からコピーを実行しようとするときに、他のユーザーが割込み処理によりＰＣ等から印刷を開始するようなことがある。そのようなときは、当該ユーザーはその印刷が完了するまでコピーを行うことができず、待たされるという問題があった。
本発明は、このような問題を解決することを課題とし、ユーザーがコピー処理を行うときに、他のユーザーからの印刷処理等の割込み処理による待ち時間をなくすことを目的とするものである。
【課題を解決するための手段】
【０００５】
上記課題を解決するために本発明に関する複合機は、携帯端末の操作に基づいて複数種類の処理を行うことが可能な複合機であって、無線ネットワークの無線通信により前記携帯端末と接続する無線送受信部と、前記複数種類の前記処理を行う複数の機能部分と、前記携帯端末の操作に基づいて行う前記処理が前記複数種類の前記処理のうちの特定処理であることを第１の条件とし、前記無線送受信部に接続される前記携帯端末との離間距離が所定の距離以内であることを第２の条件とし、前記携帯端末の端末操作表示部に前記特定処理に対する設定画面が表示されていることを第３の条件とし、前記第１の条件乃至前記第３の条件の全てを満たすと判定するときに、前記特定処理を他の割込み処理よりも優先する優先処理として設定する制御部とを備えることを特徴とする。
【発明の効果】
【０００６】
本発明によれば、以上の構成としたので、コピー処理等の特定処理を行うときに当該特定処理を優先し、他のユーザーからの印刷処理等の割込み処理を抑制し、割込み処理による待ち時間をなくすことができる。更に、優先するのは特定処理であるため、他のユーザーからの当該特定処理に係る機能部分を占有しない割込み処理については過度に抑制しないようにすることができる。
【図面の簡単な説明】
【０００７】
【図１】第１の実施の形態に関する印刷システムの説明図である。
【図２】第１の実施の形態に関する携帯端末及び複合機のブロック図である。
【図３】第１の実施の形態に関する携帯端末及び複合機の動作フローチャート図である。
【図４】第１の実施の形態に関する携帯端末のトップ画面の説明図である。
【図５】第１の実施の形態に関する携帯端末のコピー設定上位画面の説明図である。
【図６】第１の実施の形態に関する携帯端末のその他の設定上位画面の説明図である。
【図７】第１の実施の形態に関する携帯端末のコピー設定下位画面の説明図である。
【図８】第１の実施の形態に関する携帯端末の変形例の優先処理設定／否選択画面の説明図である。
【図９】第１の実施の形態に関する複合機の変形例の優先処理設定報知画面の説明図である。
【発明を実施するための形態】
【０００８】
（第１の実施の形態）
以下に本発明を実施するための最良の形態である第１の実施の形態について、複合機１、携帯端末２及び印刷システム１０の構成を説明する。各図面に共通な要素には同一の符号を付す。なお、以下の説明では、優先処理として設定する処理を特定処理とし、コピー処理を一例として説明する。なお、コピー処理以外の処理を特定処理としてもよい。
最初に、携帯端末２及び複合機１を有する印刷システム１０の構成を説明する。図１は、第１の実施の形態に関する印刷システムの説明図である。印刷システム１０は、複合機１、携帯端末２及びＰＣ３を有する。印刷システム１０は、無線ネットワーク５の無線通信により接続する携帯端末２の操作に基づいて、複合機１においてコピー処理、印刷処理、スキャン処理及びファックス処理等の複数種類の処理を実行する。
【０００９】
図１に示すように、複合機１及び携帯端末２は、無線ネットワーク５の無線通信により接続する。無線ネットワーク５は、ＩＥＥＥ ８０２．１５.１に準拠したＢｌｕｅｔｏｏｔｈ（登録商標）の近距離無線通信により構成される。無線ネットワーク５は、ＩＥＥＥ ８０２．１１に準拠したＷｉ―Ｆｉ（Wireless-Fidelty）（登録商標、以下省略）等の近距離無線通信としてもよい。ＰＣ３及び複合機１は、ＬＡＮ等の有線ネットワーク４により接続される。また、複合機１は、他のファックス装置等と電話回線６により接続される。
【００１０】
複合機１は、複数種類の機能部分を有することにより複数種類の機能を発揮し、即ち複数種類の処理を実行することができる。本実施の形態に関する複合機１は、携帯端末２の操作に基づいて、特定処理としてのコピー処理を含めた複数種類の処理を実行するものである。複合機１は、上部に原稿セット部７を配設し、セットされた原稿の画像を機能部分としてのスキャナー部３６によって読み取り、イメージデータとして取得する。そして、下部には、印刷データを印刷する機能部分としての印刷部３７を配設する。原稿セット部７の上部には自動原稿給送装置（ＡＤＦ：Auto Document Feeder）７ａを配設し、その下部には原稿セットテーブル７ｂを配設する。また、原稿セットテーブル７ｂの近傍には、図示しないＵＳＢメモリから印刷を行うときにＵＳＢメモリを挿入可能とするＵＳＢポート９を配設する。
【００１１】
ユーザーにより原稿セット部７の自動原稿給送装置７ａ上にセットされた原稿は、順に自動給送されながら図示しないラインセンサ等の走査により画像が読み取られ、イメージデータとして取得される。また、ユーザーは原稿セットテーブル７ｂに原稿をセットするときは、自動原稿給送装置７ａの紙面手前側を持ち上げて開き、原稿を１枚ずつセットする。
【００１２】
複合機１は、印刷処理において、ＰＣ３等から送信される印刷データに基づいて印刷を行う。また、印刷データを格納したＵＳＢメモリを用いて印刷するときは、ＵＳＢポート９に挿入されたＵＳＢメモリの印刷データに基づいて印刷を行う。
コピー処理においては、複合機１は、スキャナー部３６によって読取ったイメージデータに基づいて印刷を行う。ファックス受信処理においては、ファックスデータに基づいて印刷を行う。
印刷する用紙は、複合機１の下部に配設された用紙カセット部８に収納し、用紙カセット部８から一枚ずつ繰り出される。複合機１は、封筒などの特殊用紙に印刷する場合、用紙カセット部８のマルチパーパストレイ８ａにセットされた特殊用紙に印刷する。
【００１３】
携帯端末２は、ユーザーが端末操作表示部２１を操作することにより、複合機１に対しコピー処理、スキャン処理及びファックス処理等の複数種類の処理を行わせるものである。携帯端末２は、複合機１との距離を離間距離Ｌｘとし、移動可能に配設される。携帯端末２は、図１に示す端末操作表示部２１、電源オンスイッチ２ａ及び電源オフスイッチ２ｂを備える。なお、携帯端末２は、複数設ける構成としてもよい。
ＰＣ３は、キーボード３ａ等の周辺機器を用いて操作されるパーソナルコンピュータで構成し、有線ネットワーク４を介して複合機１に接続する。ＰＣ３は、複合機１に印刷データ等を送信し、複合機１に印刷処理等を実行させる。なお、ＰＣ３は、複数設ける構成としてもよい。
【００１４】
次に、携帯端末２及び複合機１の構成を説明する。図２は、第１の実施の形態に関する携帯端末及び複合機のブロック図である。図２に示すように、携帯端末２及び複合機１は、無線ネットワーク５の無線通信により接続する。
携帯端末２は、端末制御部２０、端末操作表示部２１、表示画面判定部２２、端末無線送受信部２３及び離間距離測定部２４を備える。端末制御部２０は、これら各部を制御する。
【００１５】
端末操作表示部２１は、複合機１が実行可能な複数の処理を表示しユーザーに選択させるものである。端末操作表示部２１は、例えば、表示部として機能するＬＣＤ（Liquid Crystal Display）上に、操作部として機能する透明タッチパネルを積載して構成する。操作部として図示しない「０」〜「９」からなるテンキー、記号キー及びカーソル移動キー、決定キー等の操作ボタンを更に設ける構成としてもよい。
表示画面判定部２２は、端末操作表示部２１に表示している画面が、特定処理としてのコピー処理に関する画面、特に設定画面であるか否かを判定し、判定結果を後述する表示画面判定結果ＤＳＰｉｎｆとして出力するものである。表示画面判定部２２は、端末操作表示部２１に接続される。
【００１６】
即ち、表示画面判定部２２は、例えば、端末操作表示部２１において、後に図５に示すコピー設定上位画面Ｇ１１上に特定処理の設定画面としてのコピー設定画面が表示されているときは、表示画面判定結果ＤＳＰｉｎｆを“Ｔｒｕｅ”とする。なお、コピー設定画面が表示されていることは、後述するように優先処理の設定のための条件の一つである。一方、コピー設定画面が表示されていないときは、表示画面判定結果ＤＳＰｉｎｆを“Ｆａｌｓｅ”とする。コピー設定画面には、後に図７に示すコピートレイ設定画面Ｇ２１乃至コピーヘルプ画面Ｇ２４等のコピー設定下位画面を含めるようにしてもよい。
【００１７】
端末無線送受信部２３は、無線ネットワーク５の無線通信により複合機１と接続するものである。端末無線送受信部２３は、例えば、複合機１から発信されるＢｌｕｅｔｏｏｔｈ（登録商標）の無線通信を受信し、Ｂｌｕｅｔｏｏｔｈ（登録商標）の無線通信を複合機１に送信する。
離間距離測定部２４は、複合機１との離間距離Ｌｘを測定するものである。離間距離Ｌｘは、例えば、複合機１から発信され携帯端末２が受信するＢｌｕｅｔｏｏｔｈ（登録商標）等の電波強度（ＲＳＳ：Received Signal Strengh）又は電波到来時間（ＴＯＡ：Time of Arrival）に基づいて測定する。なお、電波強度（ＲＳＳ）を用いて離間距離Ｌｘを測定する場合は、電波強度が補正される前の電波強度を用いるのがよい。なお、離間距離Ｌｘは、後述するように所定の距離Lａ以内であるとき、優先処理の設定のための条件の一つとなる。
端末制御部２０は、以上の各部を制御し、複合機１からの要求に応じて、離間距離Ｌｘ及び表示画面判定結果ＤＳＰｉｎｆを端末無線送受信部２３により送信する。
【００１８】
一方、複合機１は、制御部３０、操作表示部３１、無線送受信部３２、有線送受信部３３、時間計測部３４及び原稿セット検出部３５を備える。更に、複合機１は、機能部分としてのスキャナー部３６、印刷部３７、ファックス送受信部３８及びメール送受信部３９を備える。制御部３０は、これら各部を制御する。
操作表示部３１は、携帯端末２の端末操作表示部２１と同様に、複合機１において処理可能な複数の処理を表示しユーザーに選択させるものである。操作表示部３１は、例えば、表示部として機能するＬＣＤ上に操作部として機能する透明タッチパネルを積載して構成する。操作表示部３１は、複合機１から取外し可能とし、携帯端末２とする構成としてもよい。
【００１９】
無線送受信部３２は、無線ネットワーク５の無線通信により携帯端末２と接続するものである。無線送受信部３２は、例えばＢｌｕｅｔｏｏｔｈ（登録商標）の無線通信により、後に図３のステップＳ５に示す離間距離測定命令ＭＤｃｍｄを携帯端末２に送信する。また、無線送受信部３２は、携帯端末２から送信される離間距離Ｌｘ及び表示画面判定結果ＤＳＰｉｎｆを受信する。
有線送受信部３３は、ＬＡＮ等の有線ネットワーク４によりＰＣ３等と有線通信を行うものである。有線送受信部３３は、例えば、ＰＣ３により作成され送信されてくる印刷データ等を受信する。
【００２０】
時間計測部３４は、所定の時間を計測するものである。時間計測部３４は、例えば、後に図３のステップＳ１０において説明する強制解除時間Ｔｗを計測する。強制解除時間Ｔｗは、優先処理の設定を開始した後、優先処理の設定を強制解除するまでの時間をいう。また、時間計測部３４は、後に図３のステップＳ８において説明する通信不能判定時間Ｔｘを計測する。通信不能判定時間Ｔｘは、複合機１の制御部３０が無線送受信部３２により離間距離測定命令ＭＤｃｍｄを送信した後、携帯端末２からの離間距離Ｌｘの受信又は表示画面判定結果ＤＳＰｉｎｆの受信が所定の時間存在しないために携帯端末２が離れていると判定する当該所定の時間をいう。
【００２１】
原稿セット検出部３５は、原稿セット部７にコピー処理のための原稿がセットされたか否かを検出するものである。原稿セット検出部３５は、例えば、図１に示す原稿セット部７の自動原稿給送装置７ａにセットされた原稿を図示しない光学式センサ等により検出する。原稿セットテーブル７ｂにセットされた原稿についても、同様に光学式センサ等により検出する。なお、原稿セット部７にセットされた原稿が検出されることは、後述するように優先処理の設定のための条件の一つである。
機能部分の一つであるスキャナー部３６は、原稿セット部７にセットされた原稿の画像を読取るものである。スキャナー部３６は、自動原稿給送装置７ａにセットされた原稿については順に自動給送しながら、原稿の画像を例えばラインセンサ等により読み取り、イメージデータとして取得する。原稿セットテーブル７ｂ上にセットされた原稿については、例えばラインセンサの走査により画像を読み取り、イメージデータとして取得する。
【００２２】
機能部分としての印刷部３７は、印刷データに基づいて用紙に印刷を行うものである。印刷データは、ＰＣ３等から送信される印刷データ及びＵＳＢメモリに格納された印刷データを含む。印刷データは、更に、ファックス受信したファックスデータ及びスキャナー部３６によって読取ったイメージデータ等を含む。印刷部３７は、例えば、電子写真方式により印刷する。即ち、図示しない印刷ヘッドにより感光体ドラムに静電潜像を形成して、トナーを感光体ドラムに付着させトナー画像を形成する。更に用紙カセット部８から順に繰出す用紙にトナー画像を転写して熱定着する。なお、印刷部３７の印刷方式は、インクを直接用紙に噴き付けて印刷を行うインクジェット方式、その他の方式により印刷してもよい。
【００２３】
機能部分としてのファックス送受信部３８は、電話回線６を介してファックス送受信を行うものである。ファックス送受信部３８は、通常のファックス送受信に加え、ＰＣファックスとして、有線ネットワーク４によりＰＣ３等から印刷データを受信し電話回線６によりファックス送信する。また、リモートファックスとして、ＰＣ３からファックス送信データを受信し他のファックス装置へと送信する。
機能部分としてのメール送受信部３９は、ＰＣ３等との電子メールの送受信を行うものである。メール送受信部３９は、通常のメール送受信に加え、リモートメールとして、有線ネットワーク４を介して複合機１にあらかじめ格納されたファイルデータを電子メールにより転送する。
【００２４】
複合機１の制御部３０は、以上の各部を制御する。そして、複合機１及び携帯端末２との距離の測定結果である離間距離Ｌｘ及び携帯端末２の表示画面判定結果ＤＳＰｉｎｆを複合機１に送信するよう携帯端末２に対し指示する。更に、制御部３０は、受信した離間距離Ｌｘ及び表示画面判定結果ＤＳＰｉｎｆに基づいて、下記の第１の条件乃至第３の条件全てが満たされるときに、特定処理としてのコピー処理を他の割込み処理よりも優先する優先処理として設定する。また、下記の第１の条件乃至第３の条件のいずれか一が満たされないときは、優先処理の設定を解除する。
即ち、特定処理を優先処理として設定するためには、まず、コピー処理というのは原稿があるものなので原稿セット部７に原稿がセットされていることを条件とする（以下、第１の条件という）。これは、ユーザーが携帯端末２の端末操作表示部２１にコピー処理の設定操作を単に表示させているだけのとき（第３の条件参照）、誤検出を防ぐためにコピー処理を優先処理として設定しないようにするためである。
【００２５】
更に、受信した離間距離Ｌｘが所定の距離Ｌａ以内であることを条件とする（以下、第２の条件という）。これは、距離を操作端末の判別条件とすることで、短時間で対象の端末を検出できるからである。
加えて、携帯端末２の端末操作表示部２１に特定処理としてのコピー処理の設定画面、即ちコピー設定画面が表示されていることを条件とする（以下、第３の条件という）。これは、ユーザーが複合機１の近くまで移動した（第２の条件参照）にもかかわらず、コピー設定画面の表示があってからコピーボタン５６（図５参照）を押下するまでの間に他のユーザーからの割込み処理があると、それにより待ち時間が生じてしまうからである。
ここで、特定処理とは、優先処理として当該ユーザーに対して設定する処理をいう。前述のように複合機１は複数の機能部分を有し、コピー処理、印刷処理、スキャン処理及びファックス処理等の複数種類の処理が可能である。しかし、例えばコピー処理及び印刷処理は、両方とも機能部分としての印刷部３７を占有するので、同時には処理できない。そこで当該ユーザーが複合機１を使って行うコピー処理を特定処理とすれば、他のユーザーからの割込み処理により印刷処理があっても、当該ユーザーのコピー処理を優先して処理することができる。
【００２６】
また、優先処理は、上記特定処理としてのコピー処理を妨げることになる他のユーザーからの割込み処理（コピー処理も含む）があった場合、当該割込み処理を抑制し、上記特定処理としてのコピー処理を実行することをいう。例えば、コピー処理は、機能部分としてのスキャナー部３６及び印刷部３７を占有する。優先処理は、コピー処理を実行するとき、他のユーザーのＰＣ３等から印刷部３７を占有する印刷処理としての割込み処理があった場合、その割込み処理を抑制し、当該ユーザーのコピー処理を優先して処理することをいう。
この抑制は、他のユーザーからのすべての割込み処理には適用せずに、特定処理としてのコピー処理に影響がない割込み処理については、即ち、コピー処理に係る機能部分を占有しない割込み処理については適用しない。その結果、他のユーザーからの割込み処理については過度に抑制しないようにすることができる。コピー処理に係る機能部分としてのスキャナー部３６及び印刷部３７を占有しない割込み処理としては、例えば、他のユーザーのＰＣ３等からの印刷データの送信、リモートファックス及びリモートメール等がある。これらの処理については抑制することなく実行する。
【００２７】
次に、第１の実施の形態に関する印刷システム１０における携帯端末２及び複合機１の動作を説明する。図３は、第１の実施の形態に関する携帯端末及び複合機の動作フローチャート図である。なお、図３の上側の破線で囲まれた優先処理設定プロセスＰ１は、コピー処理を優先処理として設定するプロセスを示す。また、下側の破線で囲まれた優先処理解除プロセスＰ２は、コピー処理を優先処理とした設定を解除するプロセスを示す。
【００２８】
（優先処理設定プロセスＰ１）
最初に、コピー処理を優先処理として設定するプロセスである優先処理設定プロセスＰ１を説明する。先ず、ユーザーがコピー設定を行う前に、ユーザーは複合機１まで移動して、コピーするための原稿を原稿セット部７にセットする。
ステップＳ１：次に、ユーザーにより図１に示す携帯端末２の電源オンスイッチ２ａが押下されると、携帯端末２の端末制御部２０は、端末操作表示部２１により次に示すトップ画面Ｇ１０を表示する。トップ画面Ｇ１０には、複合機１により処理が可能な複数の処理等を各ボタンにより表示する。
図４は、第１の実施の形態に関する携帯端末のトップ画面の説明図である。図４に示すように、トップ画面Ｇ１０には、希望する操作を選択するようにユーザーを誘導するガイダンス４１を表示する。更にトップ画面Ｇ１０には、コピーボタン４２、スキャンボタン４３、印刷ボタン４４、ファックスボタン４５、ヘルプボタン４６及び装置設定ボタン４７を表示する。
【００２９】
コピーボタン４２は、後に図５に示すコピー設定を行うコピー設定上位画面Ｇ１１を表示するためのボタンである。ユーザーによりコピーボタン４２が押下されると、端末制御部２０は端末操作表示部２１により、コピー設定上位画面Ｇ１１を表示する。
スキャンボタン４３は、後に図６（ａ）に示すスキャン設定を行うスキャン設定上位画面Ｇ１２を表示するためのボタンである。ユーザーによりスキャンボタン４３が押下されると、端末制御部２０は端末操作表示部２１により、スキャン設定上位画面Ｇ１２を表示する。
印刷ボタン４４は、後に図６（ｂ）に示す印刷設定を行う印刷設定上位画面Ｇ１３を表示するためのボタンである。ユーザーにより印刷ボタン４４が押下されると、端末制御部２０は端末操作表示部２１により、印刷設定上位画面Ｇ１３を表示する。
【００３０】
ファックスボタン４５は、後に図６（ｃ）に示すファックス設定を行うファックス設定上位画面Ｇ１４を表示するためのボタンである。ユーザーによりファックスボタン４５が押下されると、端末制御部２０は端末操作表示部２１により、ファックス設定上位画面Ｇ１４を表示する。
ヘルプボタン４６は、トップ画面Ｇ１０に表示された各ボタンの操作説明などを図示しないヘルプ画面として表示するためのボタンである。このヘルプ画面によりユーザーは、コピーボタン４２、スキャンボタン４３、印刷ボタン４４、ファックスボタン４５及び装置設定ボタン４７の押下により、表示される画面の概要及びその画面により設定できる内容などを知ることができる。
【００３１】
装置設定ボタン４７は、携帯端末２の無線ネットワーク５の設定などの装置設定を行う図示しない装置設定画面として表示するためのボタンである。この装置設定画面では、Ｂｌｕｅｔｏｏｔｈ（登録商標）等の無線ネットワーク５の種類の設定、更には無線通信を行うために必要な情報の設定を行う。例えば、Ｂｌｕｅｔｏｏｔｈ（登録商標）の場合では、ＰＩＮ（Personal Identification Number）コードを複合機１から指定されるＰＩＮコードに設定する。Ｗｉ−Ｆｉの場合では、複合機１から指定されるＥＳＳ−ＩＤ（Extended Service Set Identifier）及びネットワークセキュリティキー（暗号化キー）を設定する。このように、携帯端末２の端末制御部２０は、端末操作表示部２１により、以上の各ボタン等をトップ画面Ｇ１０に表示する。
ステップＳ２：図４に示すトップ画面Ｇ１０において、ユーザーにより例えばコピーボタン４２が押下されると、携帯端末２の端末制御部２０は、端末操作表示部２１により、コピー設定画面としてのコピー設定上位画面Ｇ１１を表示する。
【００３２】
図５は、第１の実施の形態に関する携帯端末のコピー設定上位画面の説明図である。図５に示すように、コピー設定を行うためのコピー設定上位画面Ｇ１１には、希望する設定又は操作を選択するようにユーザーを誘導するガイダンス５１を表示する。更にコピートレイボタン５２、コピーカラーボタン５３及びコピー解像度ボタン５４を表示する。加えてコピーヘルプボタン５５、コピー実行ボタン５６及びコピー終了ボタン５７を表示する。
コピートレイボタン５２は、後に図７（ａ）に示すように、ユーザーがコピー用紙の給紙トレイを選択するためのコピートレイ設定画面Ｇ２１を表示するためのボタンである。コピーカラーボタン５３は、後に図７（ｂ）に示すようにユーザーがモノクロコピー／カラーコピーの選択などを設定するコピーカラー設定画面Ｇ２２を表示するためのボタンである。コピー解像度ボタン５４は、後に図７（ｃ）に示すようにユーザーがコピー解像度を設定するコピー解像度設定画面Ｇ２３を表示するためのボタンである。
【００３３】
コピーヘルプボタン５５は、後に図７（ｄ）に示すように当該コピー設定上位画面Ｇ１１に表示された各ボタンの操作説明などをコピーヘルプ画面Ｇ２４として表示するためのボタンである。
コピー実行ボタン５６は、後にステップＳ１１に示すように、ユーザーがコピー処理を開始するためのボタンである。
コピー終了ボタン５７は、後にステップＳ１８に示すように、ユーザーがコピー処理を終了させ、図４に示すトップ画面Ｇ１０に戻すためのボタンである。
【００３４】
また、図４に示すトップ画面Ｇ１０において、コピーボタン４２が押下されるのと同様に、スキャンボタン４３、印刷ボタン４４及びファックスボタン４５が押下されると、携帯端末２の端末制御部２０は、端末操作表示部２１により以下のようにそれぞれの設定上位画面を表示する。図６は、第１の実施の形態に関する携帯端末のその他の設定上位画面の説明図である。
即ち、ユーザーにより図４に示すスキャンボタン４３が押下されると、端末制御部２０は、端末操作表示部２１により図６（ａ）に示すスキャン設定上位画面Ｇ１２を表示する。スキャン設定上位画面Ｇ１２には、希望する設定又は操作を選択するようにユーザーを誘導するガイダンス６１を表示する。更に、例えば、スキャンカラーボタン６２及びスキャン解像度ボタン６３のスキャン設定ボタンを表示する。加えて、スキャンヘルプボタン６４、スキャン実行ボタン６６及びスキャン終了ボタン６７を表示する。
【００３５】
スキャンカラーボタン６２は、後に図７（ｂ）に示すコピーカラー設定画面Ｇ２２と同様な図示しないスキャンカラー設定画面を表示するためのボタンである。スキャン解像度ボタン６３は、後に図７（ｃ）に示すコピー解像度設定画面Ｇ２３と同様な図示しないスキャン解像度設定画面を表示するためのボタンである。スキャンヘルプボタン６４は、後に図７（ｄ）に示すコピーヘルプ画面Ｇ２４と同様な図示しないスキャンヘルプ画面を表示するためのボタンである。スキャン実行ボタン６６は、複合機１に、スキャン処理の実行コマンド等を送信し、ユーザーがスキャン処理を開始させるためのボタンである。スキャン終了ボタン６７は、ユーザーがスキャン処理を終了させ、図４に示すトップ画面Ｇ１０に戻すためのボタンである。
【００３６】
また、ユーザーにより図４に示す印刷ボタン４４が押下されると、端末制御部２０は、端末操作表示部２１により図６（ｂ）に示す印刷設定上位画面Ｇ１３を表示する。印刷設定上位画面Ｇ１３には、希望する設定又は操作を選択するようにユーザーを誘導するガイダンス７１を表示する。更に、例えば、ファイル選択ボックス７２、印刷トレイボタン７３、印刷カラーボタン７４、印刷解像度ボタン７５の印刷設定ボタンを表示する。加えて、印刷ヘルプボタン７６、印刷実行ボタン７７及び印刷終了ボタン７８を表示する。
【００３７】
ファイル選択ボックス７２は、ユーザーがＰＣ３等から複合機１に保存した印刷データのファイルの中から印刷するファイルを選択するボックスである。ユーザーは、プルダウンボタン７２ａを押下して開くプルダウンメニューに表示されるファイル名から印刷するファイルを選択する。図６（ｂ）に示すように、フォルダ名及びファイル名を「\\SV01\XYZ\abc01. docx」のように直接入力してもよい。又はファイル選択ボタンを別途設け、その押下により印刷設定下位画面として印刷ファイル選択画面を表示し、ユーザーが選択できるようにしてもよい。
印刷トレイボタン７３は、後に図７（ａ）に示すコピートレイ設定画面Ｇ２１と同様な図示しない印刷トレイ設定画面を表示するためのボタンである。印刷カラーボタン７４は、後に図７（ｂ）に示すコピーカラー設定画面Ｇ２２と同様な図示しない印刷カラー設定画面を表示するためのボタンである。印刷解像度ボタン７５は、後に図７（ｃ）に示すコピー解像度設定画面Ｇ２３と同様な図示しない印刷解像度設定画面を表示するためのボタンである。
【００３８】
印刷ヘルプボタン７６は、印刷設定上位画面Ｇ１３に表示された各ボタンの説明等を記載した図示しない印刷ヘルプ画面（後に図７（ｄ）に示すコピーヘルプ画面Ｇ２４と同様）を表示するためのボタンである。印刷実行ボタン７７は、複合機１に印刷処理の実行コマンド等を送信し、ユーザーが印刷処理を開始させるボタンである。印刷終了ボタン７８は、ユーザーが印刷処理を終了させ、図４に示すトップ画面Ｇ１０に戻すためのボタンである。
【００３９】
また、ユーザーにより図４に示すファックスボタン４５が押下されると、端末制御部２０は、端末操作表示部２１により図６（ｃ）に示すファックス設定上位画面Ｇ１４を表示する。ファックス設定上位画面Ｇ１４には、希望する設定又は操作を選択するようにユーザーを誘導するガイダンス８１を表示する。更に、例えば、ファックス宛先選択ボックス８２、ファックス解像度ボタン８３、ファックス濃度ボタン８４のファックス設定ボタンを表示する。加えて、ファックスヘルプボタン８５、ファックス実行ボタン８６及びファックス終了ボタン８７を表示する。
【００４０】
ファックス宛先選択ボックス８２は、ユーザーが予め登録した電話番号の中から宛先を選択するボックスである。ユーザーは、プルダウンボタン８２ａを押下して開くプルダウンメニューに表示される電話番号から宛先を選択する。また、図６（ｃ）に示すように、宛先の電話番号を「+81-3-3123-4567」のように直接入力してもよい。また、宛先選択ボタンを別途設け、その押下によりファックス設定下位画面としての図示しないファックス宛先入力画面を表示し、ユーザーが選択できるようにしてもよい。
ファックス解像度ボタン８３は、後に図７（ｃ）に示すコピー解像度設定画面Ｇ２３と同様な図示しないファックス解像度設定画面を表示するためのボタンである。ファックス濃度ボタン８４は、後に図７（ｂ）に示すコピーカラー設定画面Ｇ２２と同様な図示しないファックス濃度設定画面を表示するためのボタンである。
【００４１】
ファックスヘルプボタン８５は、ファックス設定上位画面Ｇ１４に表示された各ボタンの説明等を記載した図示しないファックスヘルプ画面（後に図７（ｄ）に示すコピーヘルプ画面Ｇ２４と同様）を表示するためのボタンである。ファックス実行ボタン８６は、複合機１に、ファックス処理の実行コマンド等を送信し、ユーザーがファックス送信処理を開始させるためのボタンである。ファックス終了ボタン８７は、ユーザーがファックス処理を終了させ、図４に示すトップ画面Ｇ１０に戻すためのボタンである。
このように、コピー処理と同様に、スキャン処理、印刷処理又はファックス処理においても、トップ画面Ｇ１０においてスキャンボタン４３、印刷ボタン４４又はファックスボタン４５が押下されると、端末制御部２０は、スキャン設定上位画面Ｇ１２、印刷設定上位画面Ｇ１３又はファックス設定上位画面Ｇ１４を表示する。
【００４２】
ステップＳ３：図５に示すコピー設定上位画面Ｇ１１においてコピー処理に関する所望のボタンがユーザーにより押下されると、端末制御部２０は、端末操作表示部２１により、コピー設定下位画面としての設定画面を表示する。
図７は、第１の実施の形態に関する携帯端末のコピー設定下位画面の説明図である。なお、このコピー設定下位画面としての設定画面には、ユーザーによる設定を補助する画面であるコピーヘルプ画面G２４を含む。
図５に示すコピー設定上位画面Ｇ１１においてユーザーによりコピートレイボタン５２が押下されると、携帯端末２の端末制御部２０は、端末操作表示部２１により図７（ａ）に示すコピートレイ設定画面Ｇ２１を表示する。
コピートレイ設定画面Ｇ２１には、操作を誘導するガイダンス９１を表示する。また、用紙の種類、給紙方法、コピー部数等を設定する設定欄９２を表示する。更に、設定を完了したときに押下するＯＫボタン９３及び設定した内容をキャンセルする場合に押下するキャンセルボタン９４を表示する。
【００４３】
また、図５に示すコピー設定上位画面Ｇ１１においてユーザーによりコピーカラーボタン５３が押下されると、携帯端末２の端末制御部２０は、端末操作表示部２１により図７（ｂ）に示すコピーカラー設定画面Ｇ２２を表示する。
コピーカラー設定画面Ｇ２２には、操作を誘導するガイダンス１０１を表示する。また、モノクロ／カラーの選択、色濃度、コントラスト等の設定を行う設定欄１０２を表示する。更に、ＯＫボタン１０３及びキャンセルボタン１０４を表示する。
【００４４】
また、図５に示すコピー設定上位画面Ｇ１１においてユーザーによりコピー解像度ボタン５４が押下されると、携帯端末２の端末制御部２０は、端末操作表示部２１により図７（ｃ）に示すコピー解像度設定画面Ｇ２３を表示する。
コピー解像度設定画面Ｇ２３には、操作を誘導するガイダンス１１１を表示する。また、自動設定のオンオフ選択、コピー解像度の設定を行う設定欄１１２を表示する。更に、ＯＫボタン１１３及びキャンセルボタン１１４を表示する。
【００４５】
また、図５に示すコピー設定上位画面Ｇ１１においてユーザーによりコピーヘルプボタン５５が押下されると、携帯端末２の端末制御部２０は、端末操作表示部２１により図７（ｄ）に示すコピーヘルプ画面Ｇ２４を表示する。
コピーヘルプ画面Ｇ２４には、コピー設定上位画面Ｇ１１に表示された各ボタンの説明及びコピー操作の説明欄１２１を表示する。例えば、トレイ設定では、「用紙の種類」によりコピー用紙の種類を選択する旨及び「給紙方法」によりコピー用紙の給紙トレイを選択する旨並びに「コピー部数」によりコピー部数を設定する旨等を表示する。また、スクロールバー１２２の操作によりコピーカラー設定及びコピー解像度設定のヘルプを順に表示する。更に、ＯＫボタン１２３を表示する。
【００４６】
このように、図５に示すコピー設定上位画面Ｇ１１のコピートレイボタン５２乃至コピーヘルプボタン５５の各ボタンが押下されると、端末制御部２０は、端末操作表示部２１により、図７に示すコピートレイ設定画面Ｇ２１等のコピー設定下位画面を表示する。そして、表示されたコピー設定下位画面に従ってユーザーにより所望の設定が行われる。
その後、ユーザーにより、ＯＫボタン９３、１０３、１１３及び１２３又はキャンセルボタン９４、１０４及び１１４が押下されると、端末制御部２０は、端末操作表示部２１によりコピー設定上位画面Ｇ１１を表示する。
【００４７】
また、図６に示すスキャン処理等その他の設定上位画面Ｇ１２乃至Ｇ１４において所望のボタンがユーザーにより押下された場合も、端末制御部２０は、端末操作表示部２１により、図７に示すコピートレイ設定画面Ｇ２１乃至コピーヘルプ画面Ｇ２４と同様なそれぞれの設定画面を表示する。
【００４８】
このとき、ユーザーは、最初にコピーするための原稿を原稿セット部７にセットしていない場合は、図１に示す複合機１まで移動して、コピーするための原稿を原稿セット部７にセットする。例えば、ユーザーが、自動原稿給送装置７ａに原稿をセットする場合は、複数枚の原稿を重ねてセットする。原稿セットテーブル７ｂ上に原稿をセットする場合は、自動原稿給送装置７ａの紙面手前側を持ち上げて開き、原稿セットテーブル７ｂ上に１枚ずつ原稿をセットする。
【００４９】
ステップＳ４：一方、複合機１の制御部３０は、原稿セット検出部３５により、複合機１の原稿セット部７に原稿がセットされたか否かを検出し、原稿がセットされたことが検出されるまで待機する。この原稿がセットされたか否かの検出は、自動原稿給送装置７ａ及び原稿セットテーブル７ｂに取付けた図示しない光学式センサ等により行う。
ステップＳ５：複合機１の制御部３０は、原稿セット検出部３５により、優先処理の設定のための第１の条件となる原稿セット部７に原稿がセットされたことを検出すると、無線送受信部３２により携帯端末２を探索する。
【００５０】
ここで、携帯端末２の探索は以下のように行う。即ち、無線ネットワーク５がＢｌｕｅｔｏｏｔｈ（登録商標）の場合では、制御部３０は、無線送受信部３２によりＰＩＮコードが一致しペアリングができる携帯端末２を探索する。また、無線ネットワーク５がＷｉ−Ｆｉの場合では、制御部３０は、無線送受信部３２によりＥＳＳ−ＩＤ及びネットワークセキュリティキーが合致する携帯端末２を探索する。
複合機１の制御部３０は、無線送受信部３２により携帯端末２の探索が完了すると、無線ネットワーク５を介して探索された携帯端末２に対し、離間距離測定命令ＭＤｃｍｄを送信する。
【００５１】
ステップＳ６：携帯端末２の端末制御部２０は、端末無線送受信部２３により複合機１から離間距離測定命令ＭＤｃｍｄを受信すると、離間距離測定部２４により複合機１との離間距離Ｌｘの測定を行う。
この離間距離Ｌｘは、無線ネットワーク５がＢｌｕｅｔｏｏｔｈ（登録商標）の場合及びＷｉ−Ｆｉの場合のいずれの場合においても、端末無線送受信部２３により受信する無線通信の電波強度（ＲＳＳ）又は電波到来時間（ＴＯＡ）に基づいて測定すればよい。離間距離Ｌｘ及び電波強度（ＲＳＳ）又は電波到来時間（ＴＯＡ）との関係は、あらかじめ実験により求める。携帯端末２の端末制御部２０は、端末無線送受信部２３により、測定した離間距離Ｌｘを複合機１に無線ネットワーク５を介して送信する。
【００５２】
ステップＳ７：携帯端末２の端末制御部２０は、表示画面判定部２２により、端末操作表示部２１に表示している画面がコピー設定画面であるか否かを判定し、その判定結果を表示画面判定結果ＤＳＰｉｎｆとする。
例えば、コピー設定画面としての図５に示すコピー設定上位画面Ｇ１１が端末操作表示部２１に表示されているときは、端末制御部２０は表示画面判定結果ＤＳＰｉｎｆを“Ｔｒｕｅ”とする。更に図７に示すコピートレイ設定画面Ｇ２１乃至コピーヘルプ画面Ｇ２４いずれかのコピー設定下位画面が表示されているときは、端末制御部２０はコピー設定画面が表示されているとして、表示画面判定結果ＤＳＰｉｎｆを“Ｔｒｕｅ”にするようにしてもよい。一方、端末操作表示部２１にコピー設定画面が表示されていないときは、端末制御部２０は表示画面判定結果ＤＳＰｉｎｆを“Ｆａｌｓｅ”とする。その後、端末制御部２０は、端末無線送受信部２３により表示画面判定結果ＤＳＰｉｎｆを複合機１に無線ネットワーク５を介して送信する。
【００５３】
ステップＳ８：一方、複合機１の制御部３０は、無線送受信部３２により離間距離Ｌｘ及び表示画面判定結果ＤＳＰｉｎｆを受信すると、まず優先処理として設定するための第２の条件となる離間距離Ｌｘについて、離間距離Ｌｘが所定の距離Ｌａ以内にあるか否かを判定する。離間距離Ｌｘが所定の距離Ｌａ以下のときは、制御部３０は、携帯端末２が近くにあり、第２の条件を満たすと判定する。その後、第３の条件となる携帯端末２の表示画面を確認するステップＳ９に移行する。
これに対し、離間距離Ｌｘが所定の距離Ｌａより長いときは、制御部３０は、携帯端末２が複合機１の近くにないと判定し、優先処理の設定を解除するステップＳ１７に移行する。
ここで、複合機１の制御部３０は、時間計測部３４により、離間距離測定命令ＭＤｃｍｄを送信した後に通信不能判定時間Ｔｘを経過しても、携帯端末２からの離間距離Ｌｘの受信又は表示画面判定結果ＤＳＰｉｎｆの受信が存在しないときは、離間距離Ｌｘが所定の距離Ｌａより長いと判定する。
【００５４】
ステップＳ９：次に、複合機１の制御部３０は、受信した表示画面判定結果ＤＳＰｉｎｆに基づいて、携帯端末２の端末操作表示部２１においてコピー設定画面が開かれているか否かを判定する。制御部３０は、受信した表示画面判定結果ＤＳＰｉｎｆが“Ｔｒｕｅ”のときは、コピー設定画面が開かれていると判定し、優先処理の設定を開始するステップＳ１０に移行する。一方、受信した表示画面判定結果ＤＳＰｉｎｆが“Ｔｒｕｅ”でないときは、制御部３０は、コピー設定画面が開かれていないと判定し、優先処理の設定を解除するステップＳ１７に移行する。
【００５５】
ステップＳ１０：ステップＳ４、Ｓ８及びＳ９の条件を満たすと、複合機１の制御部３０は、当該ユーザーのコピー処理を優先して処理する優先処理の設定を開始する。
即ち、制御部３０は、前述のように、ステップＳ４において原稿が原稿セット部７にセットされていることを第１の条件とする。また、ステップＳ８において携帯端末２が距離Ｌａ以内にあることを第２の条件とする。更に、ステップＳ９において携帯端末２のコピー設定画面が開かれていることを第３の条件とする。その上で、制御部３０は、第１の条件乃至第３の条件全てが満たされているときに、当該携帯端末２のユーザーのコピー処理を優先処理として設定する。
このように当該ユーザーのコピー処理を優先処理として設定することにより、制御部３０は、コピー処理の実行を妨げる割込み処理を抑制することができる。即ち、制御部３０は、ＰＣ３等からの印刷処理などの機能部分としての印刷部３７を占有する割込み処理を抑制することができる。
【００５６】
なおこのとき、複合機１の制御部３０は、優先処理を開始した時点からの経過時間を時間計測部３４により計測する。その後、この時間計測部３４により計測された経過時間が所定の時間Ｔｗ以上となったときは、制御部３０は、タイムアウト割込み処理により、後に示すステップＳ１７と同様に、優先処理の設定の強制解除としてもよい。この強制解除により、ＰＣ３等からの印刷処理などを過度に抑制しないようにすることができる。
ステップＳ１１：一方、図５に示す携帯端末２のコピー設定上位画面Ｇ１１において、ユーザーによりコピー実行ボタン５６が押下されると、携帯端末２の端末制御部２０は、端末無線送受信部２３により複合機１にコピー実行命令ＥＸＣｃｍｄを送信する。このとき、携帯端末２の端末制御部２０は、端末無線送受信部２３により、ステップＳ３においてコピートレイ設定画面Ｇ２１等のコピー設定下位画面により設定された設定情報をコピー実行命令ＥＸＣｃｍｄのパラメータとして複合機１に送信する。
【００５７】
ステップＳ１２：複合機１の制御部３０は、無線送受信部３２により携帯端末２からコピー実行命令ＥＸＣｃｍｄ等を受信すると、スキャナー部３６により複合機１の原稿セット部７にセットされた原稿を順にスキャンしイメージデータを取得する。
ステップＳ１３：複合機１の制御部３０は、印刷部３７により用紙カセット部８から用紙を繰り出し、取得したイメージデータに基づいて印刷を行う。
【００５８】
（優先処理解除プロセスＰ２）
次に、コピー処理を優先する優先処理の設定を解除するプロセスである優先処理解除プロセスＰ２を説明する。
ステップＳ１４：複合機１の制御部３０は、コピー処理と並行して、ステップＳ５と同様に、無線ネットワーク５を介して定期的に、携帯端末２に対し離間距離測定命令ＭＤｃｍｄを送信する。また、複合機１の制御部３０は、ステップＳ４と同様に定期的に、原稿セット検出部３５により原稿セット部７に原稿がセットされているか否かを検出する。
【００５９】
ステップＳ１５：一方、複合機１から定期的に送信されてくる離間距離測定命令ＭＤｃｍｄに対し、携帯端末２の端末制御部２０は、ステップＳ６と同様に離間距離測定部２４により離間距離Ｌｘを測定する。また、携帯端末２の端末制御部２０は、ステップＳ７と同様に表示画面判定部２２により、端末操作表示部２１に表示している画面がコピー設定画面であるか否かを判定しその判定結果を表示画面判定結果ＤＳＰｉｎｆとする。
なお、コピー処理の間に、ユーザーによりコピー設定の変更などが行われ、コピートレイ設定画面Ｇ２１乃至コピーヘルプ画面Ｇ２４のコピー設定下位画面のいずれかの画面が表示される場合がある。それ故、端末操作表示部２１に表示している画面がコピー設定画面であるか否かの判定を行う「コピー設定画面」には、上記コピー設定下位画面を含めるようにするのがよい。
その後、携帯端末２の端末制御部２０は、端末無線送受信部２３により、測定した離間距離Ｌｘ及び判定した表示画面判定結果ＤＳＰｉｎｆを複合機１に送信する。
【００６０】
ステップＳ１６：複合機１の制御部３０は、無線送受信部３２により携帯端末２から受信した離間距離Ｌｘ及び表示画面判定結果ＤＳＰｉｎｆ並びに原稿セット検出部３５によって検出した原稿セットの検出結果に基づいて、優先処理の設定を継続するか解除するかの判定を行う。
即ち、ステップＳ４と同様に原稿がセットされていることを第１の条件とする。また、ステップＳ８と同様に離間距離Ｌｘが所定の距離Ｌａ以下であることを第２の条件とする。また、ステップＳ９と同様に表示画面判定結果ＤＳＰｉｎｆが“Ｔｒｕｅ”であることを第３の条件とする。その上で、上記第１の条件乃至第３の条件のいずれか一が満たされないときは、優先処理の設定を解除するステップＳ１７に移行する。
具体的には、原稿セット部７の自動原稿給送装置７ａにセットされた原稿が自動給送されて空になれば、第１の条件は満たされなくなる。また、原稿セットテーブル７ｂ上からコピーが終了した原稿をユーザーが引き取れば、同じく第１の条件は満たされなくなる。また、ユーザーが携帯端末２を持って複合機１から移動し、離間距離Ｌｘが所定の距離Ｌａを超えれば第２の条件は満たされなくなる。そして、ユーザーが携帯端末２のコピー設定上位画面Ｇ１１を終了すれば、第３の条件は満たされなくなる。
一方、上記第１の条件乃至第３の条件の全てを継続して満たしているときは優先処理を継続するステップＳ１０に移行する。
【００６１】
ステップＳ１７：複合機１の制御部３０は、第１の条件乃至第３の条件のいずれか一が満たされないときは、当該ユーザーのコピー処理を優先する優先処理の設定を解除する。その後、複合機１の制御部３０は、再びステップＳ４に移行して、次の原稿がセットされるまで待機する。
ステップＳ１８：一方、携帯端末２においては、コピー設定上位画面Ｇ１１においてユーザーによりコピー終了ボタン５７が押下されたときは、携帯端末２の端末制御部２０は、再びステップＳ１に移行する。その後、端末操作表示部２１により図４に示すトップ画面Ｇ１０を表示し、ステップＳ１以降の処理を同様に行う。
【００６２】
ユーザーによりコピー終了ボタン５７が押下されないときは、携帯端末２の端末制御部２０は、ステップＳ１１に移行する。その後、ユーザーにより新たな原稿が原稿セット部７にセットされ、コピー実行ボタン５６が押下されると、携帯端末２の端末制御部２０は、端末無線送受信部２３により複合機１にコピー実行命令ＥＸＣｃｍｄ等を送信する。
複合機１においては、コピー実行命令ＥＸＣｃｍｄ等を受信すると上記第１の条件乃至第３の条件の全てが満される間は、コピー処理を優先して処理する。また、上記第１の条件乃至第３の条件のいずれか一が満たされない間はコピー処理を優先することなく処理する。
【００６３】
以上のように、複合機１は、携帯端末２の操作によりスキャナー部３６及び印刷部３７によるコピー処理等の複数種類の処理を行いながら、優先処理設定プロセスＰ１により優先処理の設定を行い、優先処理解除プロセスＰ２により優先処理の設定を解除する。
なお、以上の第１の実施の形態の説明では、ステップＳ４において原稿セット部７に原稿がセットされたことを検出したときにステップＳ５に移行し、携帯端末２の探索以降の動作を行うように説明したが、以下のようにしてもよい。即ち、複合機１の制御部３０は、常に定期的に、原稿セット部７に原稿がセットされたか否かを検出し、更に携帯端末２から離間距離Ｌｘ及び表示画面判定結果ＤＳＰｉｎｆを取得する。その後、複合機１の制御部３０は、ステップＳ１６と同様に第１の条件乃至第３の条件を判定し、すべてが満たされるときは優先処理の設定又はその継続を行い、いずれか一が満たされないときは優先処理の設定を解除するようにしてもよい。
【００６４】
以上のように、第１の実施の形態によれば、ユーザーが携帯端末２を操作してコピー処理を行うときに、ＰＣ３等からの印刷処理等の割込み処理を抑制し、これによる待ち時間をなくすことができる。加えて優先されたコピー処理のためにＰＣ３等からの印刷処理等を過度に抑制しないようにすることができる。
【００６５】
（変形例１)本発明は、以上の実施の形態に限定されるものではなく、本発明の趣旨に基づいて変形させることが可能であり、それらを本発明の範囲から排除するものでもない。例えば、以上の実施の形態の説明では、無線ネットワーク５として、Ｂｌｕｅｔｏｏｔｈ（登録商標）又はＷｉ―Ｆｉによる近距離無線通信を一例として説明したが、ＩＥＥＥ ８０２．１５.４に準拠したＺｉｇＢｅｅ（登録商標）などの近距離無線通信であってもよい。
【００６６】
（変形例２）また、以上の実施の形態の説明では、携帯端末２の表示画面判定部２２によって端末操作表示部２１に表示されている画面が特定処理としてのコピー処理の設定画面であるか否かを判定するように説明したが、以下のようにしてもよい。即ち、携帯端末２の端末操作表示部２１に表示されている画面を識別する情報として、画面番号等を携帯端末２から複合機１に送信する。複合機１において、受信した画面番号等から特定処理としてのコピー処理の設定画面が表示されているか否かを判定するようにしてもよい。
【００６７】
（変形例３）また、以上の実施の形態の説明では、離間距離Ｌｘの測定において、複合機１から送信し、携帯端末２が受信する無線ネットワーク５の無線通信の電波強度（ＲＳＳ）等に基づいて、携帯端末２において離間距離Ｌｘを測定するように説明したが、以下のようにしてもよい。即ち、逆に、携帯端末２から発信し、複合機１が受信する無線ネットワーク５の無線通信の電波強度（ＲＳＳ）等に基づいて、複合機１において離間距離Ｌｘを測定するようにしてもよい。
【００６８】
また、携帯端末２による離間距離Ｌｘの測定に代えて、複合機１において、受信する無線通信の電波強度が低く受信できなくなる距離を用いて離間距離Ｌｘとすることもできる。例えば、Ｂｌｕｅｔｏｏｔｈ（登録商標）の場合、Ｃｌａｓｓ３の最大出力１ｍＷでは通信距離が１ｍ程度であるので、ペアリングできないときに携帯端末２が複合機１から１ｍ以上離れていると判定することができる。
また、複合機１及び携帯端末２間の離間距離Ｌｘの測定は、ＧＰＳ（Global Positioning System）による位置情報に基づいて測定するようにしてもよい。
【００６９】
（変形例４）また、以上の実施の形態の説明では、図３に示すステップＳ２において、トップ画面Ｇ１０のコピーボタン４２が押下されたときに、コピー設定を行うコピー設定上位画面Ｇ１１を表示するように説明したが、以下のようにしてもよい。即ち、携帯端末２においてコピー設定上位画面Ｇ１１を表示する前に優先処理を設定するか否かを選択できる画面を表示してもよい。図８は、第１の実施の形態に関する携帯端末の変形例の優先処理設定／否選択画面の説明図である。
図８に示すように、携帯端末２におけるステップＳ２において、コピー設定上位画面Ｇ１１を表示する前に、端末制御部２０は、端末操作表示部２１に優先処理を設定するか否かの優先処理設定／否選択画面Ｇ３０を表示する。
【００７０】
優先処理設定／否選択画面Ｇ３０には、優先処理を設定するか否かの選択を促すガイダンス１３１を表示する。例えば、「コピー処理を優先処理として設定しますか。コピー処理を優先させるときは、「はい」ボタンを押下してください。コピー処理を優先させないときは「いいえ」ボタンを押下してください。」等を表示する。更に、優先処理を設定する場合に押下する「はい」ボタン１３２及び優先処理を行わない場合に押下する「いいえ」ボタン１３３を表示する。ユーザーが「はい」ボタン１３２を押下すると、ステップＳ１０と同様に、複合機１の制御部３０は当該ユーザーのコピー処理を優先して処理する優先処理の設定を開始する。
このように、優先処理を設定する前に、優先処理を設定するか否かの優先処理設定／否選択画面Ｇ３０を表示することにより、「いいえ」ボタン１３３の押下により例えばコピー処理について優先処理を設定しないようにすることもできる。
【００７１】
（変形例５）また、以上の実施の形態の説明では、図３に示すステップＳ１０において、複合機１においてユーザーに報知することなく当該ユーザーのコピー処理を優先処理として設定するように説明したが、以下のようにしてもよい。即ち、当該ユーザーのコピー処理を優先処理として設定するときに、複合機１の制御部３０は、図１に示す操作表示部３１により、優先処理を設定する旨を報知する画面を表示してもよい。図９は、第１の実施の形態に関する複合機の変形例の優先処理設定報知画面の説明図である。
【００７２】
図９に示すように、優先処理設定報知画面Ｇ４０には、優先処理の設定を報知するガイダンス１４１及び優先処理の設定をユーザーが理解して押下するためのＯＫボタン１４２を表示する。ガイダンス１４１には、例えば、「携帯端末から優先処理が設定されました。只今、コピー処理が優先されています。」等を表示する。
このように、コピー処理が優先処理として設定されるときに優先処理設定報知画面Ｇ４０を表示することにより、他のユーザーに、コピー処理が優先されて当該他のユーザーの処理が遅れることを事前に理解させることができる。
【００７３】
（変形例６）また、以上の実施の形態の説明では、特定処理としてのコピー処理を優先処理として設定する例を説明したが、他の処理を優先処理として設定するようにしてもよい。即ち、他の処理とは、ユーザーが複合機１まで移動して印刷データが格納されたＵＳＢメモリを図１に示すＵＳＢポート９に差し込んで印刷する「ＵＳＢメモリによる印刷処理」である。この特定処理としての「ＵＳＢメモリによる印刷処理」を優先処理に設定するようにしてもよい。即ち、ＵＳＢメモリによる印刷処理を優先処理に設定することにより、ＰＣ３等からの有線ネットワーク４を介した割込み処理により、機能部分としての印刷部３７を占有する印刷処理を抑制する。
【００７４】
このとき優先処理を設定する条件は、ユーザーによりＵＳＢポート９にＵＳＢメモリがセットされていることを第１の条件とする。更に、前述のように携帯端末２が所定の距離Ｌａ内にあることを第２の条件とする。加えて、端末操作表示部２１に図６（ｂ）に示す印刷設定上位画面Ｇ１３或は更に印刷設定下位画面が表示されていることを第３の条件とする。その上で、第１の条件乃至第３の条件全てが満たされているときに優先処理を設定する。その後、第１の条件乃至第３の条件いずれかの条件が解消されたときに優先設定を解除する。
このようにＵＳＢメモリによる印刷処理を優先処理として設定することで、ユーザーが、複合機１まで移動してＵＳＢメモリをＵＳＢポート９に差し込んで印刷を開始しようとしているときに、他の割込み処理により待たされないようにすることができる。
【００７５】
（変形例７）また、ユーザーが複合機１まで移動して封筒等の特殊用紙に印刷する特殊用紙印刷処理を本実施の形態に関する特定処理とし、優先処理を設定するようにしてもよい。即ち、特殊用紙印刷処理を優先処理に設定することにより、ＰＣ３等からの有線ネットワーク４を介した割込み処理により印刷部３７を占有する印刷処理を抑制する。
優先処理を設定する条件は、前述のようにユーザーにより特殊用紙が用紙カセット部８にセットされていることを第１の条件とする。更に携帯端末２が所定の距離Ｌａ内にあることを第２の条件とする。
【００７６】
加えて、端末操作表示部２１に図６（ｂ）に示す印刷設定上位画面Ｇ１３或は更に印刷設定下位画面が表示されていることを第３の条件とする。その上で、第１の条件乃至第３の条件全てが満たされているときに優先処理を設定する。その後、第１の条件乃至第３の条件いずれかの条件が解消されたときに優先設定を解除する。
このように特殊用紙への印刷処理を優先処理として設定することで、ユーザーが、複合機１まで移動して特殊用紙をセットし印刷を開始しようとしているときに、他の割込み処理により待たされないようにすることができる。
【００７７】
（変形例８）また、ユーザーが複合機１まで移動して原稿セット部７に原稿をセットし、携帯端末２の操作によりファックス送信を行うときのファックス送信処理を本実施の形態に関する特定処理とし、優先処理を設定するようにしてもよい。即ち、ファックス送信処理を優先処理に設定することにより、割込み処理により機能部分としての電話回線６を占有するＰＣ３等からのＰＣファックス送信を抑制する。
優先処理を設定する条件は、ユーザーによりファックス送信する原稿が原稿セット部７にセットされていることを第１の条件とする。更に、携帯端末２が所定の距離Ｌａ内にあることを第２の条件とする。
【００７８】
加えて、端末操作表示部２１に図６（ｃ）に示すファックス設定上位画面Ｇ１４或は更にファックス設定下位画面が表示されていることを第３の条件とする。その上で、第１の条件乃至第３の条件全てが満たされているときに優先処理を設定する。その後、第１の条件乃至第３の条件いずれかの条件が解消されたときに優先設定を解除する。
このようにファックス送信処理を優先処理として設定することで、ユーザーが、複合機１まで移動してファックス送信の原稿をセットし、ファックス処理を開始しようとしているときに、他の割込み処理により待たされないようにすることができる。
【符号の説明】
【００７９】
１    複合機                ２    携帯端末            ３    ＰＣ
４    有線ネットワーク      ５    無線ネットワーク    １０  印刷システム
７    原稿セット部          ２０  端末制御部          ２１  端末操作表示部
２２  表示画面判定部        ２３  端末無線送受信部    ２４  離間距離測定部
３０  制御部                ３１  操作表示部          ３２  無線送受信部
３３  有線送受信部          ３４  時間計測部          ３５  原稿セット検出部
３６  スキャナー部          ３７  印刷部              ３８  ファックス送受信部
【図１】
2020182135.tif 000003
【図２】
2020182135.tif 000004
【図３】
2020182135.tif 000005
【図４】
2020182135.tif 000006
【図５】
2020182135.tif 000007
【図６】
2020182135.tif 000008
【図７】
2020182135.tif 000009
【図８】
2020182135.tif 000010
【図９】
2020182135.tif 000011